【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  複数の走査線と複数のデータ線とを交差してなり、所定期間において、前記複数の走査線のうちの一部の走査線を同時に選択する電気光学装置に対して、前記走査線への選択電圧として用いられる電位を供給する電源回路であって、
前記データ線に印加される信号電圧の中間値を基準として、正極性および負極性の選択電圧のいずれか一方を生成する電圧生成回路と、
前記電圧生成回路により生成された一方の選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を具備し、
前記電圧生成回路は、
スイッチング素子と、前記スイッチング素子がオンすると、第１および第２の入力電位の間において電力を蓄積する一方、前記スイッチング素子がオフすると、蓄積された電力を放出するインダクタとを含み、
前記インダクタから放出された電力に基づいて、前記データ線に印加される信号電圧の中間値を基準として正極性および負極性の選択電圧のいずれか一方を生成することを特徴とする電気光学装置の電源回路。
【請求項２】  前記電圧生成回路は、さらに、前記インダクタから放出された電力に基づく電圧と、目標電圧との比較結果にしたがって、前記スイッチング素子のオンまたはオフを制御する回路を備えることを特徴とする請求項１記載の電気光学装置の電源回路。
【請求項３】  前記スイッチング素子は、パルス信号に応じてオンまたはオフ制御されることを特徴とする請求項１または請求項２に記載の電気光学装置の電源回路。
【請求項４】  複数の走査線と複数のデータ線とを交差してなり、所定期間において、前記複数の走査線のうちの一部の走査線を同時に選択する電気光学装置に対して、前記走査線への選択電圧として用いられる電位を供給する電源回路であって、
前記データ線に印加される信号電圧の中間値を基準として、正極性および負極性の選択電圧のいずれか一方を生成する電圧生成回路と、
前記電圧生成回路により生成された一方の選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を具備し、
前記電圧生成回路は、パルス信号を一次側に入力するトランスを含み、前記トランスの二次側出力に基づいて、前記正極性または負極性の選択電圧のいずれか一方を生成することを
特徴とする電気光学装置の電源回路。
【請求項５】  前記トランスは、一次側に印加された電圧によって機械的振動を発生する一方、該機械的振動を電圧に変換して二次側から出力する圧電トランスであることを特徴とする請求項４記載の電気光学装置の電源回路。
【請求項６】  前記電圧生成回路は、さらに、前記トランスの二次側出力に基づく電圧と目標電圧との比較結果にしたがって、前記トランスの一次側への前記パルス信号の供給を制御する回路を備えることを特徴とする請求項４記載の電気光学装置の電源回路。
【請求項７】  前記反転回路は、クロック信号に基づいて、電極が接続される先の電圧端子が切替えられる蓄電素子を有することを特徴とする請求項１乃至６のいずれかに記載の電気光学装置の電源回路。
【請求項８】  前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させることを特徴とする請求項１乃至７のいずれかに記載の電気光学装置の電源回路。
【請求項９】  複数の走査線と複数のデータ線との各交差に対応して設けられた画素を駆動する電気光学装置の駆動回路であって、
前記データ線に供給される信号電圧の中間値を基準として、正極性および負極性の選択電圧をそれぞれ生成する電源回路と、
前記電源回路により生成された正極性および負極性の選択電圧を、所定期間において、前記複数の走査線のうちの一部の走査線に対して同時に印加する走査線駆動回路とを具備し、
前記電源回路は、
第１および第２の入力電位から、前記正極性または負極性の選択電圧のいずれか一方を生成する電圧生成回路と、
前記電圧生成回路により生成された選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記電圧生成回路は、
スイッチング素子と、前記スイッチング素子がオンすると、第１および第２の入力電位の間において電力を蓄積する一方、前記スイッチング素子がオフすると、蓄積された電力を放出するインダクタとを含み、前記インダクタから放出された電力に基づいて、前記正極性または負極性の選択電圧のいずれか一方を生成することを特徴とする電気光学装置の駆動回路。
【請求項１０】  複数の走査線と複数のデータ線との各交差に対応して設けられた画素を駆動する電気光学装置の駆動回路であって、
前記データ線に供給される信号電圧の中間値を基準として、正極性および負極性の選択電圧をそれぞれ生成する電源回路と、
前記電源回路により生成された正極性および負極性の選択電圧を、所定期間において、前記複数の走査線のうちの一部の走査線に対して同時に印加する走査線駆動回路とを具備し、
前記電源回路は、
第１および第２の入力電位から、前記正極性または負極性の選択電圧のいずれか一方を生成する電圧生成回路と、
前記電圧生成回路により生成された選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記電圧生成回路は、
パルス信号を一次側に入力するトランスを含み、前記トランスの二次側出力に基づいて、前記正極性または負極性の選択電圧のいずれか一方を生成することを特徴とする電気光学装置の駆動回路。
【請求項１１】  複数の走査線と複数のデータ線との各交差に対応して設けられた画素を駆動する電気光学装置の駆動方法であって、
スイッチング素子をオンオフさせるとともに、前記スイッチング素子をオンさせた場合に、第１および第２の入力電位の間において電力をインダクタに蓄積させる一方、前記スイッチング素子をオフさせる場合に、前記インダクタに蓄積させた電力を放出させ、前記データ線に供給される信号電圧の中間値を基準として正極性および負極性の選択電圧のいずれか一方を生成し、当該選択電圧に基づいて蓄電させる第１の過程と、
前記第１の過程により蓄電させた電圧を、所定の値を基準として極性反転させ、前記正極性または負極性の選択電圧のいずれか他方として出力する第２の過程とを備え、
前記第１の過程および前記第２の過程により生成された選択電圧を、所定期間において、前記複数の走査線のうちの一部の走査線に対して同時に印加することを特徴とする電気光学装置の駆動方法。
【請求項１２】  複数の走査線と複数のデータ線との各交差に対応して設けられた画素を駆動する電気光学装置の駆動方法であって、
パルス信号をトランスの一次側に入力させるとともに、前記トランスの二次側出力に基づいて、前記データ線に供給される信号電圧の中間値を基準として正極性および負極性の選択電圧のいずれか一方を生成し、当該選択電圧に基づいて蓄電を行う第１の過程と、
前記第１の過程により蓄電された電圧を、所定の値を基準として極性反転させ、前記正極性または負極性の選択電圧のいずれか他方として出力する第２の過程とを備え、
前記第１の過程および前記第２の過程により生成された選択電圧を、所定期間において、前記複数の走査線のうちの一部の走査線に対して同時に印加することを特徴とする電気光学装置の駆動方法。
【請求項１３】  複数の走査線と複数のデータ線との各交差に対応して画素が設けられた電気光学装置であって、
前記データ線に供給される信号電圧の中間値を基準として、正極性および負極性の選択電圧をそれぞれ生成する電源回路と、
前記電源回路により生成された正極性および負極性の選択電圧を、所定期間において、前記複数の走査線のうちの一部の走査線に対して同時に印加する走査線駆動回路とを具備し、
前記電源回路は、
第１および第２の入力電位から、前記正極性または負極性の選択電圧のいずれか一方を生成する電圧生成回路と、
前記電圧生成回路により生成された選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記電圧生成回路は、
スイッチング素子と、前記スイッチング素子がオンすると、第１および第２の入力電位の間において電力を蓄積する一方、前記スイッチング素子がオフすると、蓄積された電力を放出するインダクタとを含み、
前記インダクタから放出された電力に基づいて、前記正極性または負極性の選択電圧のいずれか一方を生成することを特徴とする電気光学装置。
【請求項１４】  複数の走査線と複数のデータ線との各交差に対応して画素が設けられた電気光学装置であって、
前記データ線に供給される信号電圧の中間値を基準として、正極性および負極性の選択電圧をそれぞれ生成する電源回路と、
前記電源回路により生成された正極性および負極性の選択電圧を、所定期間において、前記複数の走査線のうちの一部の走査線に対して同時に印加する走査線駆動回路とを具備し、
前記電源回路は、
第１および第２の入力電位から、前記正極性または負極性の選択電圧のいずれか一方を生成する電圧生成回路と、
前記電圧生成回路により生成された選択電圧で蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記電圧生成回路は、
パルス信号を一次側に入力するトランスを含み、前記トランスの二次側出力に基づいて、前記正極性または負極性の選択電圧のいずれか一方を生成することを特徴とする電気光学装置。
【請求項１５】  複数の走査線と複数のデータ線との各交差に対応して画素が設けられ、所定期間において、前記複数の走査線のうちの一部の走査線を同時に選択する電気光学装置であって、
前記データ線に供給される信号電圧の中間値を基準として、正極性および負極性の選択電圧をそれぞれ生成する電源回路を有し、
前記電源回路は、
パルス信号に応じて駆動されるインダクタあるいはトランスを用いて、第１および第２の入力電位から前記正極性または負極性の選択電圧のいずれか一方を生成する電圧生成回路と、
前記電圧生成回路により生成された選択電圧で蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させることを特徴とする電気光学装置。
【請求項１６】  請求項１３乃至１５のいずれかに記載の電気光学装置を表示部に用いたことを特徴とする電子機器。